(57)【要約】【課題】ヘアーブローなどを行なう際に髪がブリッスルからはみ出るのを確実に防止して、ヘアーブローやヘアーセットを的確に行なえるヘアーセッターを提供する。【解決手段】セッター本体１一側に、髪を加熱しながら梳くブローブラシ２を設ける。ブローブラシ２は、吹出口２３とブリッスル２４の一群とを備えたブラシ枠２５を備えている。ブラシ枠２５に髪押え具４０を設けて、これら両者２５・４０で髪を挟んでヘアーセットを行なえるようにする。髪押え具４０は、ブリッスル２４の突端に被さる閉じ位置と、ブリッスル２４の突端から離れる開放位置とに往復揺動できるように支持されて、ばね５３で閉じ位置へ向かって移動付勢する。髪押え具４０とブラシ枠２５のいずれかに、閉じ位置において髪押え具４０を受け止めるストッパー５４を設ける。【選択図】図１
2010252991.tif 000002
【特許請求の範囲】
【請求項１】
セッター本体（１）と、セッター本体（１）の一側に設けられて髪を加熱しながら梳くブローブラシ（２）とを備えており、
ブローブラシ（２）は、周面に吹出口（２３）とブリッスル（２４）の一群とが配置してある中空のブラシ枠（２５）を備えており、
ブラシ枠（２５）と対向する位置に、一群のブリッスル（２４）の突端に被さって、髪がブリッスル（２４）からはみ出るのを防ぐ髪押え具（４０）が設けてあることを特徴とするヘアーセッター。
【請求項２】
髪押え具（４０）は、ブリッスル（２４）の突端に被さる閉じ位置と、ブリッスル（２４）の突端から離れる開放位置との間を往復変位できるように支持されており、
髪押え具（４０）を受け止めて閉じ位置に位置保持するストッパー（５４）が、髪押え具（４０）とブラシ枠（２５）との間に設けてある請求項１に記載のヘアーセッター。
【請求項３】
閉じ位置における髪押え具（４０）がブリッスル（２４）の突端で受け止められており、
ブリッスル（２４）がストッパー（５４）を兼ねている請求項２に記載のヘアーセッター。
【請求項４】
ブリッスル（２４）と対向する髪押え具（４０）の主面壁（４３）に、一群のブリッスル（２４）の先端部を受け入れる開口（７３）が形成されており、
髪押え具（４０）とブラシ枠（２５）との対向面にストッパー（５４）が設けてある請求項２に記載のヘアーセッター。
【請求項５】
髪押え具（４０）の両側端が、ブラシ枠（２５）の髪挟持面（３４）の頂部より前外方に位置させてある請求項１、２、３または４に記載のヘアーセッター。
【請求項６】
髪押え具（４０）の左右幅が、ブリッスル（２４）の突端占有領域の左右幅より大きく設定されており、
髪押え具（４０）の左右両側に側方髪受部（４６）が設けられており、
髪挟持面（３４）の両側端に位置するブリッスル（２４）の突端が、前記側方髪受部（４６）より前外方に位置させてある請求項５に記載のヘアーセッター。
【請求項７】
髪押え具（４０）の断面と、髪押え具（４０）と対向するブラシ枠（２５）の髪挟持面（３４）の断面が、それぞれ外突湾曲状に形成されており、
前記側方髪受部（４６）が、髪押え具（４０）の湾曲形状と逆向きに屈曲してある請求項６に記載のヘアーセッター。
【請求項８】
側方髪受部（４６）の屈曲半径が、髪押え具（４０）の湾曲半径より小さく設定してある請求項７に記載のヘアーセッター。
【請求項９】
髪押え具（４０）の髪挟持面（３４）との対向面に、隣接するブリッスル（２４）の間に入り込む髪押え突起（５７）が設けてある請求項５から８のいずれかに記載のヘアーセッター。
【請求項１０】
髪押え具（４０）の先端に、髪挟持面（３４）から遠ざかる向きに曲がる髪導入部（４７）が形成してある請求項５から９のいずれかに記載のヘアーセッター。
【請求項１１】
ブラシ枠（２５）の内部にイオン発生用の放電ユニットを備えた放電体（９）が配置されており、
放電体（９）と対向するブラシ枠の髪挟持面にイオン出口（３６）が開口されており、
前記イオン出口（３６）と対向する髪押え具（４０）の主面壁（４３）に、髪をイオン出口（３６）へ向かって接近案内する髪ガイド（７８）が、髪挟持面（３４）へ向かって膨出形成してある５から１０のいずれかに記載のヘアーセッター。
【請求項１２】
髪押え具（４０）の主面壁（４３）を断面波形に形成して、ブリッスル（２４）の先端を受け入れる凹部（７６）と、髪押え突起（５７）とが交互に形成してある請求項９から１１のいずれかに記載のヘアーセッター。
【請求項１３】
髪押え具（４０）の主面壁（４３）が髪挟持面（３４）と対向する使用位置と、前記主面壁（４３）がブラシ枠（２５）の背面と対向する不使用位置とに位置変更可能に、髪押え具（４０）がブラシ枠（２５）に装着してある請求項１から１２のいずれかに記載のヘアーセッター。
【請求項１４】
髪押え具（４０）の下端に設けた連結リング（４１）が、ブラシ枠（２５）の連結筒（２９）に回転可能に装着されており、
髪押え具（４０）を連結筒（２９）の回りに回転操作して、使用位置と不使用位置とに位置変更できる請求項１３に記載のヘアーセッター。
【請求項１５】
髪押え具（４０）が使用位置においてのみストッパー（５４）で受け止められており、
不使用位置における髪押え具（４０）をブラシ枠（２５）の背面で受け止め保持する請求項１３または１４に記載のヘアーセッター。
【請求項１６】
ブラシ枠（２５）の連結筒（２９）と髪押え具（４０）の連結リング（４１）との間に、髪押え具（４０）が連結筒（２９）の回りに回転するのを規制するロック構造が設けられており、
ロック構造は、連結筒（２９）と連結リング（４１）のいずれか一方に設けられるロック突起（６２）と、他方に設けられるロック凹部（６３）とで構成されており、
連結筒（２９）の軸心に沿う髪押え具（４０）の往復動作で、ロック突起（６２）とロック凹部（６３）とを係脱できる請求項１３から１５のいずれかに記載のヘアーセッター。
【請求項１７】
髪押え具（４０）とブラシ枠（２５）との間に、髪押え具（４０）を移動付勢して前記ロック構造のロック状態を保持する付勢手段が設けてある請求項１６に記載のヘアーセッター。
【請求項１８】
前記付勢手段が、髪押え具（４０）の連結リング（４１）に設けた弾性変形可能な押圧腕（６５）と、ブラシ枠（２５）の連結筒（２９）に形成されて押圧腕（６５）と係脱するガイド凹部（６６）とで構成されており、
ガイド凹部（６６）に、押圧腕（６５）を介して髪押え具（４０）をロック付勢する傾斜カム面（６８）が形成してある請求項１７に記載のヘアーセッター。
【請求項１９】
連結リング（４１）と連結筒（２９）との間に、髪押え具（４０）が使用位置に位置する状態で互いに係合する節度構造が設けられており、
節度構造が、先端に節度突起（８２）を備えた弾性腕（８１）と、節度突起（８２）と係合する節度凹部（８３）とで構成されている請求項１３、１４または１５のいずれかに記載のヘアーセッター。
【請求項２０】
ブラシ枠（２５）の連結筒（２９）がセッター本体（１）の連結部（１３）に装着されて、セッター本体（１）に設けた連結ロック体（３０）で分離不能にロック保持されており、
前記ロック体（３０）に、連結リング（４１）のロック凹部（６３）と係合して、髪押え具（４０）が連結筒（２９）の回りに回転するのを規制するロック爪（８５）が設けてある請求項１３、１４または１５のいずれかに記載のヘアーセッター。
【請求項２１】
ブラシ枠（２５）の連結筒（２９）の周面上部に段部（６１）が周回状に設けられており、
連結筒（２９）の周面複数箇所に、前記段部（６１）に連続して下向きに延びる隔離リブ（９０）が設けられており、
髪押え具（４０）の連結リング（４１）が前記隔離リブ（９０）で受け止められて、段部（６１）と連結リング（４１）との間に隙間（９１）が確保してある請求項１４から２０のいずれかに記載のヘアーセッター。
【発明の詳細な説明】
【技術分野】
【０００１】
本発明は、ブローブラシを備えているヘアーセッターに関する。ブローブラシの周面には吹出口とブリッスルの一群が設けてあり、ヘアーブローやヘアーセットを行なう際に使用する。
【背景技術】
【０００２】
ブローブラシを備えているヘアーセッターは、例えば特許文献１に公知である。そこでは、中空筒状のブラシ枠と、ブラシ枠の一側に固定されるゴム製のブラシベースと、ブラシベースに組み付けられる一群のブリッスルなどでブローブラシを構成している。ブラシベースには吹出口が直線列状に開口してあり、ブリッスルは吹出口に沿って配置してある。
【０００３】
この種のヘアーセッターにおいて、髪押え具をブリッスルおよびブラシ枠と対向する状態で設けることは、例えば特許文献２に公知である。そこでは、ブラシ枠の周面一側に一群のスチーム穴と、スチーム穴の列に沿う状態で植毛体を直線列状に配置している。また、髪押え具の側にも植毛体の一群を直線列状に設けている。植毛体は、歯ブラシの毛束と同様に、束状のブラシ毛をブラシ枠や押え具の対向面に植設して短軸状に形成してある。髪押え具は、ブラシ枠に対して揺動可能に軸支されて、ばねでブラシ枠に接近する向きに付勢してあり、その揺動先端には髪押え具をブラシ枠側へ押し付けるための補助レバーが設けてある。使用状態においては、ブラシ枠の植毛体と髪押え具の植毛体とで髪を挟み保持した状態で梳き流すことにより、カールした髪やくせ付けされた髪をストレート状にセットできる。
【０００４】
同様のヘアーセッターは、特許文献３にも見ることができ、そこでは先の植毛体に換えて、プラスチック成形されたブリッスルをブラシ枠と髪押え具の双方に設けている。ブラシ枠には一群の吹出口が枠側方へ向かって多段状に開口してあり、ブリッスルと概ね直行する向き（髪の梳き流し方向）へ温風を吹き出すことができる。特許文献４のヘアーセッターにおいては、セッター本体にブリッスルの突端を覆うカバーを設けている。カバーは弾力性のある止め具で支持されて、常に開き勝手に付勢されている。使用時には、ブラシ枠から吹き出した温風をカバーで反転案内して、ブラシ枠とカバーとの間に挟んだ髪を満遍なく加熱することができる。
【先行技術文献】
【特許文献】
【０００５】
【特許文献１】特開２００７−１０５１４４号公報（段落番号００５９、図２）
【特許文献２】特開平０３−２６７００６号公報（第５頁１３行〜１８行、第１図）
【特許文献３】登録実用新案第３０８７６９６号公報（段落番号０００５、図８）
【特許文献４】実開平０６−００３２０１号公報（段落番号０００６、図３）
【発明の概要】
【発明が解決しようとする課題】
【０００６】
特許文献１に見られる一般的なブローブラシを使用する場合には、例えばブローブラシのブリッスルを髪に通した状態で、ブラシ枠の吹出口から吹き出される温風で髪を加熱しながら毛先へ向かって梳き流す。このとき、ブリッスルの先端部分に手をあてがって、髪をブローブラシと手で挟んだ状態で梳くと、髪がブリッスルからはみ出るのを防いで、髪のカール処理やストレート処理をより確実に行なえる。しかし、素手の状態で髪を抑え保持するので、ブラシ枠から吹き出された温風が掌や指先に接触して、熱い思いをすることがある。
【０００７】
その点、特許文献２のヘアーセッターによれば、ブラシ枠と髪押え具に設けた植毛体で髪を内外から挟み保持するので、ブラシ枠から吹き出された温風やスチームが掌や指先に接触するのを髪押え具で遮ることができる。しかし、ブラシ枠と押え具の双方に植設した植毛体で髪を挟持するので、髪と植毛体との間に大きな摩擦抵抗が生じるのを避けられず、カールした髪やくせ付けされた髪に、テンション力を付与してストレート状にセットするのには適していても、通常のヘアーブローやヘアーセットを行なうのには適さない。また、短軸状の植毛体で髪を捕捉するので、髪を挟んだ状態におけるブラシ枠と髪押え具との対向間隔が小さく、そのため髪を少量ずつしか処理できない不利もある。
【０００８】
特許文献３のヘアーセッターにおいては、温風をブラシ枠の枠側方へ吹き出す必要上、ブラシ枠と髪押え具との間の髪通過空間の断面を山形に形成して、斜面部分に吹出口を多段状に開口している。しかも、ブラシ枠と髪押え具のそれぞれにブリッスルが対向状に設けてある。そのため、ブラシ枠と髪押え具とで髪を挟んだ状態では、髪が山形に屈曲し、しかも内外のブリッスルが屈曲部分に差し込まれることとなり、髪を梳き流すときの摩擦抵抗が異常に大きくなるのを避けられない。この場合にも、髪を少量ずつ挟んで処理するしかない。
【０００９】
特許文献４のヘアーセッターにおいては、カバーが止め具の弾性力で常に開き勝手に付勢してある。そのため、ブラシ枠とカバーとの間に髪を挟んだ状態においてカバーを開き不能に手で保持し、さらに髪を梳き終わるまでその状態を保持する必要があり、常に両手でヘアーセッターを操作する必要がある点で、使い勝手に問題がある。
【００１０】
本発明の目的は、熱い思いをすることもなく、髪がブリッスルからはみ出るのを確実に防止してヘアーブローやヘアーセットを行なえ、しかも通常のブローブラシと同等量の髪を円滑にしかも確実に処理できる、使い勝手に優れたヘアーセッターを提供することにある。本発明の目的は、ヘアーセット時に髪が横ずれするのを防止して、髪を効果的にカール処理できるヘアーセッターを提供することにある。
【課題を解決するための手段】
【００１１】
本発明に係るヘアーセッターは、セッター本体１と、セッター本体１の一側に設けられて髪を加熱しながら梳くブローブラシ２とを備えている。ブローブラシ２は、周面に吹出口２３とブリッスル２４の一群とが配置してある中空のブラシ枠２５を備えている。ブラシ枠２５と対向する位置に、一群のブリッスル２４の突端に被さって、髪がブリッスル２４からはみ出るのを防ぐ髪押え具４０が設けてあることを特徴とする。
【００１２】
髪押え具４０は、ブリッスル２４の突端に被さる閉じ位置と、ブリッスル２４の突端から離れる開放位置との間を往復変位できるように支持する。髪押え具４０を受け止めて閉じ位置に位置保持するストッパー５４を、髪押え具４０とブラシ枠２５との間に設ける。
【００１３】
閉じ位置における髪押え具４０をブリッスル２４の突端で受け止めて、ブリッスル２４がストッパー５４を兼ねるようにする。
【００１４】
ブリッスル２４と対向する髪押え具４０の主面壁４３に、一群のブリッスル２４の先端部を受け入れる開口７３を形成する。髪押え具４０とブラシ枠２５との対向面にストッパー５４を設ける。
【００１５】
髪押え具４０の両側端を、ブラシ枠２５の髪挟持面３４の頂部より前外方に位置させる。
【００１６】
髪押え具４０の左右幅を、ブリッスル２４の突端占有領域の左右幅より大きく設定する。髪押え具４０の左右両側に側方髪受部４６を設ける。髪挟持面３４の両側端に位置するブリッスル２４の突端を、側方髪受部４６より前外方に位置させる。
【００１７】
髪押え具４０の断面と、髪押え具４０と対向するブラシ枠２５の髪挟持面３４の断面を、それぞれ外突湾曲状に形成する。側方髪受部４６は、髪押え具４０の湾曲形状と逆向きに屈曲する。
【００１８】
側方髪受部４６の屈曲半径を髪押え具４０の湾曲半径より小さく設定する。
【００１９】
髪押え具４０の髪挟持面３４との対向面に、隣接するブリッスル２４の間に入り込む髪押え突起５７を設ける。
【００２０】
髪押え具４０の先端に、髪挟持面３４から遠ざかる向きに曲がる髪導入部４７を形成する。
【００２１】
ブラシ枠２５の内部にイオン発生用の放電ユニットを備えた放電体９を配置する。放電体９と対向するブラシ枠の髪挟持面にイオン出口３６を開口する。前記イオン出口３６と対向する髪押え具４０の主面壁４３に、髪をイオン出口３６へ向かって接近案内する髪ガイド７８を、髪挟持面３４へ向かって膨出形成する。
【００２２】
髪押え具４０の主面壁４３を断面波形に形成して、ブリッスル２４の先端を受け入れる凹部７６と、髪押え突起５７とを交互に形成する。
【００２３】
髪押え具４０の主面壁４３が髪挟持面３４と対向する使用位置と、主面壁４３がブラシ枠２５の背面と対向する不使用位置とに位置変更可能に、髪押え具４０をブラシ枠２５に装着する。
【００２４】
髪押え具４０の下端に設けた連結リング４１を、ブラシ枠２５の連結筒２９に回転可能に装着する。髪押え具４０を連結筒２９の回りに回転操作して、使用位置と不使用位置とに位置変更する。
【００２５】
髪押え具４０を使用位置においてのみストッパー５４で受け止める。不使用位置における髪押え具４０をブラシ枠２５の背面で受け止め保持する。
【００２６】
ブラシ枠２５の連結筒２９と髪押え具４０の連結リング４１との間に、髪押え具４０が連結筒２９の回りに回転するのを規制するロック構造を設ける。ロック構造は、連結筒２９と連結リング４１のいずれか一方に設けられるロック突起６２と、他方に設けられるロック凹部６３とで構成する。連結筒２９の軸心に沿う髪押え具４０の往復動作で、ロック突起６２とロック凹部６３とを係脱できるようにする。
【００２７】
髪押え具４０とブラシ枠２５との間に、髪押え具４０を移動付勢してロック構造のロック状態を保持する付勢手段を設ける。
【００２８】
付勢手段は、髪押え具４０の連結リング４１に設けた弾性変形可能な押圧腕６５と、ブラシ枠２５の連結筒２９に形成されて押圧腕６５と係脱するガイド凹部６６とで構成する。ガイド凹部６６に、押圧腕６５を介して髪押え具４０をロック付勢する傾斜カム面６８を形成する。
【００２９】
連結リング４１と連結筒２９との間に、髪押え具４０が使用位置に位置する状態で互いに係合する節度構造を設ける。節度構造は、先端に節度突起８２を備えた弾性腕８１と、節度突起８２と係合する節度凹部８３とで構成する。
【００３０】
ブラシ枠２５の連結筒２９をセッター本体１の連結部１３に装着して、セッター本体１に設けた連結ロック体３０で分離不能にロック保持する。ロック体３０に、連結リング４１のロック凹部６３と係合して、髪押え具４０が連結筒２９の回りに回転するのを規制するロック爪８５を設ける。
【００３１】
ブラシ枠２５の連結筒２９の周面上部に段部６１を周回状に設ける。連結筒２９の周面複数箇所に、前記段部６１に連続して下向きに延びる隔離リブ９０を設ける。髪押え具４０の連結リング４１を隔離リブ９０で受け止めて、段部６１と連結リング４１との間に隙間９１を確保する。
【発明の効果】
【００３２】
本発明においては、ブローブラシ２のブラシ枠２５と対向する位置に髪押え具４０を設け、髪押え具４０をブリッスル２４の突端に被せ付けることにより、ブリッスル２４に捕捉された髪を髪押え具４０で抑え保持できるようにした。このように、髪を髪押え具４０とブラシ枠２５との間に挟んだ状態で梳くと、髪がブリッスル２４からはみ出るのを確実に防止しながらヘアーブローやヘアーセットを的確に行なえる。しかも、ブラシ枠２５から吹き出された温風やスチームが掌や指先に接触するのを髪押え具４０で遮ることができるので、熱い思いをすることもなく、ヘアーブロー等を的確に行なうことができる。また、ブラシ枠２５と髪押え具４０とは、ブリッスル２４の突出寸法に相当する間隔を隔てて対向するので、通常のブローブラシと同等量の髪をブラシ枠２５と髪押え具４０との間に挟み保持することができ、したがって、ヘアーセットを円滑にしかも確実に行なうことができる使い勝手に優れたヘアーセッターが得られる。
【００３３】
髪押え具４０を閉じ位置と開放位置とに開閉可能に支持し、ブラシ枠２５と髪押え具４０との間に設けたストッパー５４で、閉じ位置における髪押え具４０とブラシ枠２５との対向間隔を常に一定に保持すると、両者２５・４０の間に挟み込まれる髪量を概ね一定にして、適切に髪処理を行なうことができる。
【００３４】
閉じ位置における髪押え具４０をブリッスル２４の突端で受け止めるようにすると、別途ストッパー５４を設ける必要がないので、その分だけブローブラシ２の構造を簡素化できる。また、落下衝撃がセッター本体１や髪押え具４０に作用するような場合に、落下衝撃を一群のブリッスル２４で分散して受け止めて緩和し吸収できるので、ヘアーセッターの落下等に伴なう破損や変形をよく防止できる。
【００３５】
髪押え具４０の主面壁４３にブリッスル２４の先端部を受け入れる開口７３を形成すると、ブラシ枠２５と髪押え具４０の間に髪を挟んだ状態において、一群のブリッスル２４が髪束を貫通する。そのため、髪束が梳き流し方向と交差する向きに動くのをブリッスル２４で阻止でき、髪を毛先へ向かって梳き流すとき、髪が横ずれするのを確実に防止しながら効果的に髪処理できる。この実施形態においては、髪押え具４０をブリッスル２４の突端で受け止めることができないので、髪押え具４０とブラシ枠２５との対向面に設けたストッパー５４で髪押え具４０を受け止めて、前記両者２５・４９の対向間隔を一定に保持する。
【００３６】
髪押え具４０の両側端を、ブラシ枠２５の髪挟持面３４の頂部より前外方に位置させると、髪挟持面３４と髪押え具４０とで区画される髪挟持空間の断面が大きく屈曲するのを防止して、髪梳き時に髪に作用する摩擦抵抗が異常に大きくなるのを解消できる。したがって、例えば髪をブローブラシ２で内向きや外向きにカールするような場合に、髪が大きく曲げられて過剰に引っ張られるのを防いで、より軽快にしかも効果的にカール処理を行なうことができる。
【００３７】
上記のように、髪をブローブラシ２で内向きや外向きにカールするような場合には、髪の外面が髪押え具４０の両側縁で強くしごかれて傷むおそれがある。しかし、髪押え具４０の左右両側に側方髪受部４６を設け、髪挟持面３４の両側端に位置するブリッスル２４の突端を側方髪受部４６より前外方に位置させると、カール処理される髪束を側方髪受部４６で案内して、髪束がしごかれるのを防止できる。したがって、ヘアーブロー時などに髪がしごかれて傷むのを一掃できる。また、髪を髪押え具４０で挟みこんだ状態において、ブリッスル２４と側方髪受部４６との前後の位置差寸法ｂに相当する分だけ、髪を側方髪受部４６で適度に押さえ込むことができる。したがって、ブローブラシ２で髪を梳く際に、髪が梳き方向と交差する方向（上下方向）へずれ動くのを規制できる。髪押え具４０の左右幅を、ブリッスル２４の突端占有領域の左右幅より大きく設定して、髪押え具４０の左右両側に側方髪受部４６を設けることも、髪を適度に押さえ込むのに役立っている。
【００３８】
側方髪受部４６を、外突湾曲状に形成される髪押え具４０の湾曲形状と逆向きに屈曲すると、側方髪受部４６の湾曲面で髪束を案内して、髪束が側方髪受部４６を通過するときの抵抗を減少できる。したがって、ヘアーブロー時などに髪がしごかれて傷むのをさらに確実に防止できる。
【００３９】
側方髪受部４６の屈曲半径が髪押え具４０の湾曲半径より小さく設定してあると、より小形の側方髪受部４６で髪束を円滑に案内して、髪押え具４０が大形化するのを防止できる。また、髪押え具４０を小形化できる分だけ、ブローブラシ２の取り扱いを軽快に行なえる。
【００４０】
髪押え具４０の髪挟持面３４との対向面に、隣接するブリッスル２４の間に入り込む髪押え突起５７を設けると、ブラシ枠２５と髪押え具４０の間に髪を挟んだ状態において、髪束の外面が髪押え突起５７で受け止められて、一群のブリッスル２４が髪束を貫通する。そのため、とくに髪束の外面が梳き流し方向と交差する向きに動くのをブリッスル２４で阻止して、髪を毛先へ向かって梳き流すとき、髪が横ずれするのを確実に防止しながら効果的に髪処理できる。また、髪束を通り抜けた温風の大半は、隣接する髪押え突起５７の間の隙間に沿って上下いずれかへ移動するので、髪束を通り抜けた温風が主面壁４３の内面の一個所に滞留するのを防止できる。さらに、隣接する髪押え突起５７の間を流動する温風で、髪束の外面側に位置する髪を加熱できるので、髪挟持面３４と髪押え具４０の間に挟まれた髪を均等に加熱できる。
【００４１】
髪押え具４０の先端に、髪挟持面３４から遠ざかる向きに曲がる髪導入部４７を形成すると、髪押え具４０を開放操作して、髪押え具４０と髪挟持面３４との間に髪束を挟む場合に、髪押え具４０の先端の髪導入部４７を髪束から遠ざけることができる。したがって、髪束を髪押え具４０と髪挟持面３４との間に迅速かつ確実に挟み込んで、髪処理作業を簡便に行なえる。
【００４２】
イオン出口３６と対向する髪押え具４０の主面壁４３に髪ガイド７８を膨出形成すると、髪ガイド７８と髪挟持面３４の間を通過する髪を、髪ガイド７８で強制的にイオン出口３６に近接させて、マイナスイオンを髪束に対してより確実に浸透させ付着できる。したがって、髪をしっとりした状態にして髪処理を行なうことができ、より効果的にヘアーブローやヘアーセットを行なうことができる。また、主面壁４３と髪挟持面３４との間を髪ガイド７８で左右に区分して、髪束を通り抜けた温風を髪ガイド７８に沿って流動案内できるので、温風が主面壁４３の内面に局部的に滞留するのを防いで、髪を均等に加熱できる。さらに、主面壁４３の外面が髪ガイド７８で左右に分断されるので、髪押え具４０の外面に手を沿えて髪を梳く場合に、手指が接触する個所を髪ガイド７８の開口の分だけ減少して熱さを緩和できる。
【００４３】
主面壁４３を断面波形に形成して、凹部７６と髪押え突起５７とが交互に形成してある髪押え具４０によれば、手指が接触する個所を凹部７６の外面のみに限ることができる。しかも、断面波形に形成される主面壁４３の表面積を大きくして、放熱作用を向上できる。したがって、熱さを感じさせることもなく、髪押え具４０の外面に手を沿えて髪を梳くことができる。また、主面壁４３に突設される髪押え突起５７で、髪を抑え保持して髪が横ずれするのを確実に防止できるうえ、髪束を通り抜けた温風を隣接する髪押え突起５７の間の隙間に沿って流動案内して、温風が主面壁４３の内面の一個所に滞留するのを防止できる。
【００４４】
髪押え具４０がブラシ枠２５に対して、使用位置と不使用位置とに位置変更可能に装着してあると、必要に応じてブローブラシ２を単独で、あるいは髪押え具４０を併用した状態で使用して、ユーザーの思い通りに、しかも効果的にヘアーブローやヘアーセットを行なえる。ブローブラシ２を単独で使用する場合に、髪押え具４０が邪魔になることもない。
【００４５】
髪押え具４０を連結筒２９の回りに回転操作して、使用位置と不使用位置とに位置変更できるようにすると、ブラシ枠２５に装着した状態のままで髪押え具４０を位置変更できる。したがって、ブローブラシ２を単独で使用する場合と、髪押え具４０を併用した状態で使用する場合の、髪押え具４０の位置変更を簡単にしかも迅速に行なうことができる。
【００４６】
不使用位置における髪押え具４０をブラシ枠２５の背面で受け止め保持すると、不使用時の髪押え具４０がブラシ枠２５の外面から大きく突出するのを防止して、ブローブラシ２を単独で使用する場合に髪押え具４０が邪魔になるのを解消できる。また、髪押え具４０を装着した状態のままでヘアーセッターを収納する際に、ヘアーセッターを収納するためのスペースを小さくできる。
【００４７】
連結筒２９と連結リング４１との間に、ロック突起６２とロック凹部６３とからなるロック構造を設けると、髪押え具４０が連結筒２９の回りに不用意に回転するのを規制して、髪押え具４０を使用位置や不使用位置において確実にロック保持できる。また、髪押え具４０を連結筒２９の軸心方向に操作する状態でのみ、ロック突起６２とロック凹部６３を係脱できるので、髪押え具４０の装着姿勢が髪梳き時の抵抗力などで変わるのを確実に防止して、ヘアーセットなどを的確に行なうことができる。
【００４８】
髪押え具４０とブラシ枠２５との間に設けた付勢手段でロック構造をロック状態に保持すると、使用位置や不使用位置において髪押え具４０をさらに確実にロック保持して、落下衝撃などで髪押え具４０がロック解除状態に切り換わるのを防止できる。また、髪押え具４０の装着位置を変更する場合には、付勢手段に抗してロック構造をロック解除したのち、その状態を維持した状態のままで髪押え具４０を回転操作する必要があるので、いたずらなどによって髪押え具４０の装着位置が変更されるのを解消できる。
【００４９】
付勢手段を連結リング４１に設けた押圧腕６５と、連結筒２９に形成したガイド凹部６６とで構成すると、連結リング４１および連結筒２９の成形時に、押圧腕６５およびガイド凹部６６をそれぞれ同時成形できる。したがって、付勢手段を備えたロック構造の構成部品点数を削減して、髪押え具４０を備えたブローブラシ２の全体コストを削減できる。また、互いに凹凸係合する押圧腕６５とガイド凹部６６は、節度構造として機能して、回転操作される髪押え具４０および連結リング４１を周方向へ位置決めして、ロック突起６２とロック凹部６３とをより確実に係合できる。
【００５０】
節度突起８２を備えた弾性腕８１と節度凹部８３とで節度構造を構成すると、回転操作される髪押え具４０および連結リング４１を、節度構造で使用位置において位置決めして、ロック突起６２とロック凹部６３とを常に適正にロック係合できる。また弾性腕８１を連結リング４１と、さらに節度凹部８３を連結筒２９と、それぞれ一体に形成することにより、節度構造の構成部品点数をを削減して、ブローブラシ２のコスト削減に寄与できる。
【００５１】
セッター本体１に設けたブラシ枠２５用の連結ロック体３０にロック爪８５を設け、ロック爪８５を連結リング４１のロック凹部６３と係脱できるようにすると、連結ロック体３０を利用して髪押え具４０の回転を規制できる。また、連結ロック体３０の押し込み量を大小に加減することにより、髪押え具４０のロック状態を解除し、あるいはブラシ枠２５のロック状態を解除でき、両部材２５・４０の位置変更および着脱時のロック解除動作を１個所でまとめて行なえる。
【００５２】
連結筒２９の段部６１に連続して下向きに延びる隔離リブ９０を設け、同リブ９０で髪押え具４０の連結リング４１の上端を受け止めると、段部６１と連結リング４１との間に隙間９１を確保し、さらに、隙間９１を先の隔離リブ９０で周方向へ複数に区分できる。したがって、隙間９１に入り込んだ髪を隔離リブ９０で受け止めて連結筒２９の周面から浮かすことができ、これにより、髪押え具４０を連結筒２９の回りに回転操作するような場合に、髪が連結筒２９と連結リング４１との間に巻き込まれるのを防止できる。
【図面の簡単な説明】
【００５３】
【図１】図３におけるＢ−Ｂ線断面図である。
【図２】ヘアーセッターの正面図である。
【図３】図２におけるＡ−Ａ線断面図である。
【図４】ブローブラシの分解断面図である。
【図５】図３におけるＣ−Ｃ線断面図である。
【図６】図３におけるＤ−Ｄ線断面図である。
【図７】髪押え具の姿勢変更手順を示す要部のみの側面図である。
【図８】髪押え具を不使用位置へ回転操作した状態の側面図である。
【図９】ヘアーセッターの使用状態を示す正面図である。
【図１０】髪押え具の別の実施例を示す断面図である。
【図１１】図１０における髪押え具の一部破断側面図である。
【図１２】髪押え具のさらに別の実施例を示す断面図である。
【図１３】髪押え具のさらに別の実施例を示す断面図である。
【図１４】ロック構造の別の実施例を示す側面図である。
【図１５】図１４におけるＥ−Ｅ線断面図である。
【図１６】髪押え具のさらに別の実施例を示す側面図である。
【図１７】ストッパー構造の別の実施例を示す縦断側面図である。
【図１８】髪押え具のさらに別の実施例を示す分解正面図である。
【発明を実施するための形態】
【００５４】
（実施例）  図１ないし図９は本発明に係るヘアーセッターの実施例を示す。図２においてヘアーセッターは、上下に長いセッター本体１と、セッター本体１に交換装着されるブローブラシ２とからなる。ブローブラシ２は、図示していないロールブローブラシやノズルなどと共にアタッチメントを構成しており、それぞれ髪処理の内容に応じてセッター本体１に交換装着される。なお、本発明においては、図１ないし図３に示す交差矢印と前後、左右、上下の表示に従って前後、左右、上下を特定する。
【００５５】
図２および図３に示すように、セッター本体１は、筒状の本体ケース５の内部に送風ファン６やヒーター７などを配置し、吹出口８の側にイオン発生用の放電ユニットを備えた放電体９を配置して構成してある。グリップを兼ねるセッター本体１の上部前面には、送風ファン６のモーター１０やヒーター７への通電状態を切り換えるスイッチノブ１２と、吹出口８の周囲の連結部１３に連結したアタッチメントを取り外すためのロック解除用のボタン１４とが設けてある。ブローブラシ２は、連結部１３に交換装着されてセッター本体１と一体化される。符号１５は吸込口である。
【００５６】
図３において、放電体９は丸筒状の中空体からなり、その周囲壁に円形の４個のイオン送出口１８と、長穴状の一群の通気口１９とがそれぞれ開口してある。吹出口８から吹き出された温風（あるいは冷風）の一部は、放電体９の内部に入り込み、通気口１９を介して周囲に吹き出され、同時にイオン送出口１８からマイナスイオンが放出される。また、吹出口８から吹き出された温風の一部は、放電体９の外面に沿って流動する。各イオン送出口１８に臨む放電体９の内部には、針状の放電電極２０とリング状の対向電極２１とからなる放電ユニットが配置してある（図５参照）。放電ユニットに高電圧のパルス電流を供給するイオン発生ユニットは本体ケース５の内部に収容してある。
【００５７】
図１、図３および図４に示すようにブローブラシ２は、前面に温風（または冷風）の吹出口２３と一群のブリッスル２４とが配置してある中空のブラシ枠２５と、ブリッスル２４の突端外面に被さる髪押え具４０とを備えている。ブラシ枠２５は、前面側のブラシホルダー２６と、ブラシホルダー２６の後面を覆うカバー２７とで中空筒状に形成してあり、ブラシホルダー２６の前外面に、一群のブリッスル２４を支持するゴム製のブラシベース２８が固定してある。
【００５８】
ブラシ枠２５の下端には、先の連結部１３に外嵌装着される連結筒２９が設けてある。連結筒２９の内面の対向２個所には、先のロック解除用のボタン１４で操作される連結ロック体３０（図５参照）と係合する係合凹部３１が形成してある。また、連結筒２９の前面上部には、ブリッスル２４の側へ向かって温風を吹き出す補助吹出口３２が開口してある。ロック解除用のボタン１４と連結ロック体３０とは一体に形成してあり、圧縮コイル形の復帰ばね３３でボタン１４がケース外方へ進出付勢され、同時に連結ロック体３０がロック付勢してある。ボタン１４を押し込み操作して連結ロック体３０をロック解除することにより、ブローブラシ２を連結部１３から取り外すことができる。
【００５９】
図１および図８に示すように、ブラシホルダー２６およびブラシベース２８の壁面には、縦長溝状の吹出口２３の一群が縦列状に開口してあり、各吹出口列を間に挟む状態で一群のブリッスル２４が設けてある。ブリッスル２４は縦列ごとに一体に成形されたプラスチック成形品からなり、ブラシベース２８に対してその内面側から組み付けられて、ブラシベース２８の前面外方へ突出している。図１に示すように、ブラシベース２８の外面は外突湾曲面状に形成されて、本発明で言う髪挟持面３４を形成している。ブリッスル２４の突端を通る仮想平面も同様に外突湾曲面状に形成してある。ブラシベース２８は、その左右両側がブラシホルダー２６とカバー２７とで挟持固定されて、ブラシ枠２５と一体化してある（図１参照）。ブラシホルダー２６とカバー２７とは図４に示すビス３５で締結固定される。
【００６０】
ブラシベース２８の左右中央部分には、上下一対のイオン出口３６を備えた縦長の出口ピース３７が装着してある。上下のイオン出口３６は、放電体９の前面側のイオン送出口１８と対向する状態で設けてあり、したがって、一群の吹出口２３から温風を送給する状態では、マイナスイオンをイオン出口３６から同時に送出して、髪を潤いのある状態に保持できる。
【００６１】
図３および図４に示すように髪押え具４０は、ブリッスル２４に対応して断面が外突湾曲状に形成されるへら状の主面壁４３と、主面壁４３の下端に連続して形成されるハンドル４４、および左右一対の連結アーム４５などを一体に備えたプラスチック成形品からなり、ブラシ枠２５の連結筒２９に装着した連結リング４１で揺動可能に支持してある。図１に示すように、主面壁４３の左右幅はブリッスル２４の突端の占有領域の左右幅より大きく設定してあって、左右両側のそれぞれに側方髪受部４６が一体に設けてある。また、主面壁４３の上端（先端）には、髪導入部４７が、髪挟持面３４から遠ざかる向きに折り曲げてある。側方髪受部４６は、主面壁４３の湾曲形状と逆向きに湾曲（屈曲）してあり、側方髪受部４６の屈曲半径は、主面壁４３の湾曲半径より小さく設定してある。
【００６２】
連結リング４１の外周面には一対のブラケット５１が突設してあり、髪押え具４０の連結アーム４５とブラケット５１とを揺動ピン５２で連結することにより、髪押え具４０の全体を揺動ピン５２を中心にして前後方向へ揺動できるように軸支している。このように、連結リング４１で揺動可能に軸支された髪押え具４０は、主面壁４３がブリッスル２４の突端に被さる閉じ位置（図３に実線で示す状態）と、ブリッスル２４の突端から離れる開放位置（図３に想像線で示す状態）との間を往復できる。
【００６３】
ブリッスル２４および髪挟持面３４と協同して髪を的確に挟み保持するために、髪押え具４０の全体を、揺動ピン５２の回りに配置したばね５３で閉じ位置へ向かって揺動付勢している。また、閉じ位置における髪押え具４０をストッパー５４で受け止めて、髪押え具４０と髪挟持面３４との対向間隔を一定に保持できるようにしている。この実施例では、ブリッスル２４の突端で主面壁４３を受け止めて、ブリッスル２４がストッパー５４を兼ねるようにした。
【００６４】
髪押え具４０の髪挟持面３４と対向する主面壁４３の内面には、図１に示すように、隣接するブリッスル２４の間に入り込む髪押えリブ（髪押え突起）５７が設けてある。詳しくは、縦列状に配置されるブリッスル２４と平行な上下に長い髪押えリブ５７を、主面壁４３の内面の６箇所に設けている。ブリッスル２４がブラシベース２８から放射状に突出してあるのに対し、髪押えリブ５７はブラシ枠２５の中心軸線と平行に突出してある。図３に示すように、髪押えリブ５７は主面壁４３の上端から下端にわたって形成してあり、その上下長さはブリッスル２４の突端の上下方向の占有領域より僅かに大きい。髪押えリブ５７を設けることにより、髪押え具４０と髪挟持面３４との間に挟まれた髪が、ブリッスル２４による髪梳き方向と交差する方向へずれ動くのを規制できる。
【００６５】
髪押え具４０は、連結リング４１を連結筒２９に外嵌装着することによりブラシ枠２５と一体化されて、連結筒２９に固定した抜止めリング５８（図３参照）で抜け止めされている。このように、ブラシ枠２５に組み付けた状態における髪押え具４０は、連結リング４１を介して連結筒２９で回転可能に支持されて、主面壁４３がブラシ枠２５の髪挟持面３４と対向する使用位置（図３に示す状態）と、ブラシ枠２５の背面と対向する不使用位置（図８に示す状態）との間を自由に位置変更できる。
【００６６】
髪押え具４０が使用位置にあるときの、ブリッスル２４と、髪挟持面３４と、髪押え具４０とは、以下に説明する位置関係にある。図１に示すように、髪押え具４０の両側端はブラシ枠２５の髪挟持面３４の頂部より前外方に位置しており、この状態における髪押え具４０の両側端と髪挟持面３４の頂部との前後の位置差寸法を図１に符号ａで示している。また、髪挟持面３４の両側端に位置するブリッスル２４の突端は、側方髪受部４６より前外方に位置しており、この状態における両者２４・４６の前後の位置差寸法を符号ｂで示している。このように、ブリッスル２４の先端と側方髪受部４６との位置を前後に重複させると、髪を髪押え具４０で挟みこんだ状態において、位置差寸法ｂに相当する分だけ髪を側方髪受部４６で適度に押さえ込むことができる。したがって、ブローブラシ２で髪を梳く際に、髪が梳き方向と交差する方向（上下方向）へずれ動くのを規制できる。
【００６７】
ブラシ枠２５の連結筒２９の周面上部には、連結リング４１の上端を受け止めて髪押え具４０を位置決めする段部６１が周回状に設けてある。この段部６１と連結筒２９の上端との間に、使用位置と不使用位置における髪押え具４０を回転操作不能にロック保持するロック構造が設けてある。図７に示すようにロック構造は、段部６１に連続して連結筒２９の対向周面の２個所に形成される半円状のロック突起６２と、ロック突起６２に対応して連結リング４１の上端に切り欠き形成される半円状のロック凹部６３と、これら両者のロック係合状態を保持する付勢手段とで構成する。
【００６８】
図５ないし図７に示すように付勢手段は、連結リング４１の筒壁の対向位置に設けられる弾性変形可能な押圧腕６５と、ブラシ枠２５の連結筒２９に凹み形成されて押圧腕６５を受け入れるガイド凹部６６とで構成する。押圧腕６５の遊端内面には半球状の受動片６７が突設してある。また、ガイド凹部６６の内底には段部６１の側へ向かって下り傾斜する傾斜カム面６８が形成してある。押圧腕６５の外面の周囲は、髪の挟み込みを防ぐリブ７０で囲んである（図７参照）。
【００６９】
図５に示すように、受動片６７をガイド凹部６６の傾斜カム面６８で受け止めた状態では、押圧腕６５が連結筒２９の周面から浮き離れる向きに弾性変形して、受動片６７を傾斜カム面６８に押し付けている。そのため、受動片６７は傾斜カム面６８から反力を受け、反力の分力によって傾斜カム面６８の傾斜下端側へ移動する向きの力を受ける。その結果、髪押え具４０は連結リング４１を介して段部６１の側へ向かって移動付勢され、ロック突起６２とロック凹部６３とが係合するロック状態を維持できる。互いに係合した状態におけるロック突起６２とロック凹部６３とは、髪が段部６１と連結リング４１との間に巻き込まれるのを防ぐ規制体として機能している。
【００７０】
以上のように構成したヘアーセッターでヘアーブローを行なう場合には、ハンドル４４を指先で押さえて髪押え具４０を開放し、ブローブラシ２と髪押え具４０との間に髪を挟みこむ。その状態で温風を吹出口２３から吹き出し、さらにマイナスイオンをイオン出口３６から送給しながら、毛先へ向かって髪を梳き流す。
【００７１】
髪押え具４０を開放した状態の主面壁４３は、ブリッスル２４から遠く離れている。しかも、主面壁４３の先端部分に設けた髪導入部４７は、ブリッスル２４からさらに離れる向きに傾斜してある。そのため、ブリッスル２４を髪の内面側へ差し込む際に、主面壁４３が邪魔になることはなく、ブローブラシ２を単独で使用する場合と同等量の髪を、髪挟持面３４と髪押え具４０との間に挟むことができる。髪を挟んだのちは、髪押え具４０を閉じ位置へ戻すことにより、ブリッスル２４で捕捉された髪を髪押え具４０で押さえて、髪がブリッスル２４からはみ出るのを確実に防止できる。
【００７２】
髪押え具４０で髪を挟んだ状態では、ブリッスル２４の間の髪束が髪押えリブ５７で押さえられて、髪束の外面がブリッスル２４の基端側へ向かって押し込まれる。そのため、一群のブリッスル２４は、髪挟持面３４と髪押え具４０との間に挟まれた髪束を貫通して、髪束が梳き流し方向と交差する向きに動くのを阻止する。したがって、髪を毛先へ向かって梳き流すとき、髪が横ずれするのを確実に防止しながら効果的に髪処理できる。
【００７３】
ヘアーブローを行なう場合には、ブローブラシ２をセッター本体１ごと内向き、あるいは外向きに回転して、髪を内向き、あるいは外向きにカールする。そのとき、髪の外面が髪押え具４０の両側縁で強くしごかれて傷むおそれがある。しかし、髪押え具４０の左右両側に側方髪受部４６が設けてあるので、側方髪受部４６の湾曲面で髪を案内して、髪がしごかれて傷むのを防止解消できる。
【００７４】
上記のように、本発明のヘアーセッターによれば、髪を髪押え具４０で抑え保持した状態で梳くことができるので、掌などで髪を押さえる必要がなく、図９に示すように片手のみでヘアーセットを行なうことができる。したがって、ブラシ枠２５から吹き出された温風が掌や指先に接触するのを一掃して、熱い思いをすることもなく、ヘアーブローやヘアーセットを快適に行なえる。また、髪押え具４０の外面に手を沿えて髪を梳き流す場合であっても、髪押え具４０で温風を遮ることができるので、同様に熱い思いをすることはない。
【００７５】
髪束を通り抜けた温風の大半は、主面壁４３で受け止められたのち、髪押えリブ５７の間の溝状空間に沿って移動して、主面壁４３の上下端から大気中に放出される。したがって、髪束を通り抜けた温風が主面壁４３の内面の一個所に滞留するのを防いで、髪が不必要に加熱されて傷むのを防止できる。また、先の溝状空間を流動する温風で、髪束の外面側に位置する髪を加熱できるので、髪挟持面３４と髪押え具４０の間に挟まれた髪を均等に加熱できる。
【００７６】
濡れた髪を乾燥するような場合には、髪押え具４０を不使用位置に変位させて、ブローブラシ２を単独で使用することができる。その場合には、図７に矢印で示すように押圧腕６５の弾性に抗しながら、髪押え具４０の全体を本体ケース５の側へ押し下げて、ロック突起６２とロック凹部６３との係合を解除する。連結リング４１が押し下げられるのに伴なって、受動片６７とガイド凹部６６との係合深さが浅くなる。この状態で髪押え具４０の全体を反転操作することにより、受動片６７がガイド凹部６６の内周側壁を乗り越えて連結筒２９の周面に支障なく乗り上がる。髪押え具４０を使用位置から１８０度反転させて、図８に示す不使用位置に位置させると、受動片６７が対向周面側のガイド凹部６６に落ち込み係合するので、使用者は節度機構と同様の節度感を感じることができる。同時に、傾斜カム面６８から受ける反力の作用で連結リング４１が上向きに押し上げられる。その結果、ロック突起６２とロック凹部６３とが係合して、髪押え具４０を回転不能にロック保持できる。この状態では、ばね５３で付勢された主面壁４３がブラシ枠２５の背面へ向かって接近傾動して、髪押えリブ５７の上端寄りがブラシ枠２５のカバー２７の上部で受け止められている。
【００７７】
髪押え具４０を再び使用位置へ戻す場合には、同様にして髪押え具４０を不使用位置から１８０度反転させる。なお、ガイド凹部６６の上端側の凹み深さを大きくして、傾斜カム面６８の傾斜角度を大きくすると、受動片６７がガイド凹部６６の内周側壁を乗り越えるときの抵抗を増強して、受動片６７とガイド凹部６６がロック機構を兼ねることができる。その場合には、ロック突起６２とロック凹部６３とからなるロック機構を省略することができる。
【００７８】
上記のように、髪押え具４０が不使用位置に位置する状態において、髪押え具４０をブラシ枠２５に接近傾動させると、髪押え具４０がブラシ枠２５の外面から大きく突出するのを防いで、ブローブラシ２を単独で使用する場合に髪押え具４０が邪魔になるのを解消できる。また、不使用状態においてヘアーセッターを収納するためのスペースを小さくできる。
【００７９】
以下に本発明の別の実施例を示す。そこでは、主に先の実施例と異なる部分について説明し、先の実施例と同じ部材には同じ符号を付してその説明を省略する。図１０に示す髪押え具４０は、主面壁４３に開口７３を前後貫通状に形成して、髪押え具４０を閉じた状態において、一群のブリッスル２４の先端部を開口７３の内部に受け入れるようにした。図１１に示すように開口７３は、縦列状に配置されるブリッスル２４に対応して上下に長い溝状に形成してある。この実施例では、閉じ位置における髪押え具４０をブリッスル２４で受け止めることができない。そこで、主面壁４３の下部内面にストッパー５４を突設し、さらにストッパー５４を受け止める突起７４を連結筒２９に突設して、閉じ位置における髪押え具４０をストッパー５４および突起７４で受け止めるようにした。
【００８０】
上記のように主面壁４３に開口７３を設けると、吹出口２３から送給されて髪を通り抜けた温風を開口７３から直接放出できる。そのため、主面壁４３と髪挟持面３４との間に挟んだ髪における温風の通りを良くして、髪をより均等に加熱できる。また、開口７３を設けると主面壁４３の体積を減少して蓄熱量を削減でき、しかも表面積が大きくなるので主面壁４３の放熱を促進でき、例えばヘアーセットが終了した後の髪押え具４０を速やかに冷却できる。さらに、髪押え具４０の外面に手を沿えて髪を梳く場合に、主面壁４３と接触して熱い思いをすることもない。
【００８１】
髪押え具４０で髪を挟んだ状態では、髪押えリブ５７を設けたのと同様に、ブリッスル２４の間の髪束を主面壁４３の内面で押さえて、髪束の外面をブリッスル２４の基端側へ向かって押し込むことができる。これに伴ない髪束を一群のブリッスル２４で貫通して、髪束が梳き流し方向と交差する向きに動くのを阻止でき、髪を毛先へ向かって梳き流すとき、髪が横ずれするのを確実に防止しながら効果的に髪処理できる。
【００８２】
図１２における髪押え具４０は、主面壁４３を断面波形に形成して、個々のブリッスル２４の先端を受け入れる凹部７６を設け、さらに隣接する凹部７６の間に髪押え突起５７を設けるようにした。凹部７６および髪押え突起５７は、主面壁４３の上端から下端にわたって、それぞれ上下方向へ連続する状態で形成してある。
【００８３】
髪押え具４０で髪を挟んだ状態では、髪押え突起５７でブリッスル２４の間の髪束を髪挟持面３４の側へ向かって押し込むことができるので、髪束が梳き流し方向と交差する向きに動くのを阻止して、髪が横ずれするのを確実に防止できる。また、髪束を通り抜けた温風の大半は凹部７６に沿って上下いずれかへ移動するので、髪束を通り抜けた温風が主面壁４３の内面の一個所に滞留するのを防止できる。さらに、凹部７６を流動する温風で、髪束の外面側に位置する髪を加熱できるので、髪挟持面３４と髪押え具４０の間に挟まれた髪を均等に加熱できる。
【００８４】
図１３における髪押え具４０は、図１で説明した髪押え具４０と同様に、主面壁４３の基本形状を外突湾曲状としたうえで、イオン出口３６と対向する主面壁４３に、髪挟持面３４へ向かって膨出する髪ガイド７８を設けた。髪ガイド７８は断面Ｕ字状に形成してあり、主面壁４３の左右中央の上端から下端にわたって上下方向へ連続する状態で形成してある。このように、髪ガイド７８を設けた髪押え具４０によれば、イオン出口３６の外面近傍を通過する髪を、髪ガイド７８で強制的にイオン出口３６に近接させ、あるいは押し付けて、マイナスイオンを髪束に浸透させ付着できる。また、主面壁４３の外面が髪ガイド７８で左右に分断されるので、髪押え具４０の外面に手を沿えて髪を梳く場合に、手指が接触する個所を髪ガイド７８の開口の分だけ減少して熱さを緩和できる。
【００８５】
図１４および図１５における髪押え具４０は、先の実施例とロック構造が異なり、さらに連結リング４１と連結筒２９の接合構造が異なっている。ロック構造は、連結リング４１と連結筒２９との間に設けられて、髪押え具４０を使用位置および不使用位置に位置決めする節度構造と、ブローブラシ２のロック構造を一部利用して構成した。節度構造は、連結リング４１の筒壁の対向位置に設けられる弾性変形可能な弾性腕８１と、弾性腕８１の先端内面に突設される部分球状の節度突起８２と、連結筒２９に凹み形成されて節度突起８２と係合する節度凹部８３とで構成する。弾性腕８１は、連結リング４１の周方向に沿って部分円弧状に形成してあり、節度突起８２が節度凹部８３に落ち込み係合した状態において、僅かに弾性変形して節度突起８２を節度凹部８３の内底に押し付けている。
【００８６】
ブラシ枠２５の連結筒２９は、セッター本体１に設けた連結ロック体３０でロック保持できるが、連結ロック体３０に設けられるロック爪８５を延長して、その爪先に連結筒２９の外面に突出する端爪８６を設けた。また、端爪８６を連結リング４１の内面に凹み形成したロック凹部６３に係合して、髪押え具４０が連結筒２９の回りに回転するのを規制できるようにした。
【００８７】
ロック凹部６３と端爪８６との係合状態は、図１５に想像線で示すように、ボタン１４を僅かに押し込み操作することで解除できる。この状態から、ボタン１４をさらに押し込み操作すると、連結ロック体３０をロック解除してブローブラシ２を連結部１３から取り外すことができる。ロック凹部６３と端爪８６との係合を解除した状態で、弾性腕８１の弾性力に抗して髪押え具４０を連結筒２９の回りに反転操作することにより、髪押え具４０を使用位置から不使用位置へと変位操作して、再びロック凹部６３と端爪８６を係合させて位置決めできる。
【００８８】
連結リング４１と連結筒２９の接合構造に関しては、連結筒２９の周面６箇所に、段部６１に連続して下向きに延びる隔離リブ９０を設けて、髪押え具４０の連結リング４１の上端を隔離リブ９０の下端で受け止めるようにした。このように、隔離リブ９０で連結リング４１を受け止めると、段部６１と連結リング４１との間に隙間９１を確保できる。因みに、連結リング４１の上端が段部６１に密着する状態では、髪押え具４０を連結筒２９の回りに回転操作するような場合や、ヘアーセットを行なうような場合に、髪が連結リング４１と段部６１の間に入り込むおそれがある。こうした状況を一掃して髪の入り込みを防ぐために、連結リング４１を隔離リブ９０で受け止めて隙間９１を確保している。
【００８９】
図１６に示すブローブラシ２においては、ハンドル４４を髪押え具４０とは別の部品として構成し、それぞれを揺動ピン５２・９３の回りに揺動可能に支持し、ピン９４および連動溝９５を介して連動可能に連結した。また、ハンドル４４をばね５３で本体ケース５から離れる向きに揺動付勢して、常態において髪押え具４０の主面壁４３がブラシ枠２５から離れるようにした。ブローブラシ２を使用する場合には、利き手で本体ケース５を握り、さらに利き手の人差し指や中指でハンドル４４を本体ケース５側へ引き寄せて、主面壁４３と髪挟持面３４との間に髪を挟み保持する。この実施例においても、髪押え具４０を抑え保持する必要もなく、片手のみでヘアーセットを行なえる。
【００９０】
図１７に示すブローブラシ２においては、連結アーム４５の間に揺動ピン５２と平行な丸軸状のストッパー５４を設け、ブラケット５１の傾斜縁でストッパー５４を受け止めて、閉じ位置における主面壁４３の間隔保持を、ストッパー５４およびブラケット５１で行なうようにした。この実施例における髪押え具４０は、全体がばね５３で閉じ勝手に揺動付勢してあり、閉じ位置における主面壁４３は、ブリッスル２４と小さな隙間を介して対向している。
【００９１】
図１８に示すブローブラシ２は、図１３で説明したブローブラシ２の一部を変更した別実施例である。図１３においては、放電ユニットを本体ケース５と一体的に設けたが、この実施例では放電ユニット１００をブローブラシ２の内部に設けるようにした。また、放電ユニット１００に高電圧のパルス電流を供給するイオン発生ユニットも、放電ユニット１００と同様にブローブラシ２の内部に設けるようにした。このヘアーセッターによれば、ブローブラシ２を本体ケース５から取り外すことにより、放電ユニット１００、およびイオン発生ユニットを本体ケース５から切り離すことができる。
【００９２】
詳しくは、ブラシ枠２５の内部に放電ユニット１００を設け、イオン出口３６と対向する放電ユニット１００の前面の上下に、針状の放電電極２０とリング状の対向電極２１とを配置した。放電電極２０および対向電極２１とイオン出口３６とは、僅かな隙間を介して前後に対向するようにした。また、連結筒２９に給電用の一対のプラグ１０１を設け、セッター本体１の連結部１３にプラグ１０１に対応するソケット１０２を設けた。
【００９３】
このように、放電ユニット１００をブローブラシ２と一体に設けると、図１３における丸筒体やイオン送出口１８を省略できるので、放電ユニット１００で生成されたイオンを、イオン出口３６から直接放出することができる。また、イオン出口３６の外面近傍を通過する髪を、主面壁４３に設けた髪ガイド７８で強制的にイオン出口３６に近接させ、あるいは押し付けて、マイナスイオンを髪束に確実に浸透させ付着できる。
【００９４】
上記の実施例以外に、髪押え具４０の連結リング４１を断面Ｃ字状に形成して、連結リング４１を連結筒２９に対して着脱可能に装着することができる。その場合の連結リング４１は、リング部分の弾性で連結筒２９に対する装着状態を維持するとよく、髪押え具４０を併用する場合に限ってブラシ枠２５に装着することができる。髪押え具４０は揺動開閉する以外に、閉じ位置と開放位置との間を平行移動できるように支持することができる。必要があればセッター本体１で髪押え具４０を支持することができる。
【００９５】
髪押え具４０を移動付勢する付勢手段は、圧縮形や引っ張り形のコイルバネや、ねじりコイルばねなどで構成することができる。髪に緊張力を付与して、より効果的にカール処理するために、ブラシ枠２５の左右両側面に沿ってテンションコームを設けることができる。テンションコームは、歯ブラシ状のブラシ束やリブ状の櫛片などを、ブラシベース２８の側面に沿って縦列状に配置して構成することができる。
【００９６】
主面壁４３の内面に髪挟持面３４へ向かって開口する溝を形成して凹部７６とすることができる。主面壁４３の外面に一群の突起やリブ、あるいは格子状のリブなどを設けて、主面壁４３の外面に手指が接触するときの接触部分を先の突起やリブの突端に限って、主面壁４３から手指への熱伝導を抑止することができる。図１における髪押えリブ５７は、上下に連続して形成する必要はなく、上下方向の複数個所で断続するように形成することができる。
【００９７】
ストッパー５４は、髪押え具４０とブラシ枠２５のいずれか一方に設けてあればよい。また、ストッパー５４を髪押え具４０に設ける場合には、不使用位置においてストッパー５４を受け入れる凹部をブラシ枠２５の背面に設けておくことにより、不使用位置にした髪押え具４０をコンパクトに収納することができる。セッター本体１の吹出口８側に設けた放電体９は省略することができ、その場合には、ブラシ枠２５の内部に温風をより大量に送給して、その吹出口２３から吹き出す温風で髪を速やかに加熱できる。必要があれば、スチームを吹出口２３から送給することができる。ブローブラシ２はアタッチメントである必要はなく、セッター本体１とブローブラシ２を一体化したヘアーブロー専用機であってもよい。
【符号の説明】
【００９８】
１  セッター本体
２  ブローブラシ
２３  吹出口
２４  ブリッスル
２５  ブラシ枠
２９  連結筒
３４  髪挟持面
４０  髪押え具
４１  連結リング
４３  主面壁
４６  側方髪受部
４７  髪導入部
５３  ばね
５４  ストッパー
５７  髪押え突起
７３  開口
【図１】
2010252991.tif 000003
【図２】
2010252991.tif 000004
【図３】
2010252991.tif 000005
【図４】
2010252991.tif 000006
【図５】
2010252991.tif 000007
【図６】
2010252991.tif 000008
【図７】
2010252991.tif 000009
【図８】
2010252991.tif 000010
【図９】
2010252991.tif 000011
【図１０】
2010252991.tif 000012
【図１１】
2010252991.tif 000013
【図１２】
2010252991.tif 000014
【図１３】
2010252991.tif 000015
【図１４】
2010252991.tif 000016
【図１５】
2010252991.tif 000017
【図１６】
2010252991.tif 000018
【図１７】
2010252991.tif 000019
【図１８】
2010252991.tif 000020